【事件の表示】
　平成９年商標登録願第１６０７２４号拒絶査定に対する審判事件について、次のとおり審決する。
【結　論】
　本件審判の請求は、成り立たない。
【理　由】
１　本願商標
　本願商標は、別掲のとおりの構成よりなり、第１４類「貴金属，貴金属製食器類，貴金属製のくるみ割り器・こしょう入れ・砂糖入れ・塩振出し容器・卵立て・ナプキンホルダー・ナプキンリング・盆及びようじ入れ，貴金属製の花瓶・水盤・針箱・宝石箱・ろうそく消し及びろうそく立て，貴金属製のがま口・靴飾り・コンパクト及び財布，貴金属製喫煙用具，身飾品，宝玉及びその原石並びに宝玉の模造品，時計，記念カップ，記念たて，キーホルダー」、第１８類「皮革，かばん類，袋物，携帯用化粧道具入れ，かばん金具，がま口口金，傘，ステッキ，つえ，つえ金具，つえの柄，乗馬用具，愛玩動物用被服類」及び第２５類「被服，ガーター，靴下止め，ズボンつり，バンド，ベルト，履物，仮装用衣服，運動用特殊衣服，運動用特殊靴」を指定商品として、平成９年９月２４日に立体商標として登録出願されたものである。
　
２　原査定の理由
　原査定は、「本願商標は、その指定商品中『貴金属製の靴飾り』の形状の一形態を認識させる立体的形状よりなるものであるから、これを上記商品について使用しても単に商品の形状を普通に用いられる方法で表示してなるにすぎないものと認める。したがって、本願商標は、商標法第３条第１項第３号に該当し、前記以外の商品に使用するときは商品の品質の誤認を生じさせるおそれがあるから、同法第４条第１項第１６号に該当する。なお、出願人が提出した参考資料１ないし３よりは、本願商標に文字が付された使用がされているから、本願商標そのものが使用されているとは認め難いものであり、しかも、本願商標が需要者の間に広く認識されているような特別の事情も見出せないものである。」旨認定して本願を拒絶したものである。
　
３　当審の判断
（１）立体商標は、商品若しくは商品の包装又は役務の提供の用に供する物のみならず、商品を構成する部品等商品の一部（以下「商品等」という。）の形状をも含むものといえるが、商品等の形状は、本来それ自体の持つ機能を効果的に発揮させたり、あるいはその商品等の形状の持つ美感（見た目の美しさ）を追求する等の目的で選択されるものであり、本来的（第一義的）には商品・役務の出所を表示し、自他商品・役務を識別する標識として採択されるものではない。
　そして、商品等の形状に特徴的な変更、装飾等が施されていても、それは、前示したように、商品等の機能、又は美感をより発揮させるために施されたものであって、本来的には、自他商品を識別するための標識として採択されるのではなく、全体としてみた場合、商品等の機能、美感を発揮させるために必要な形状を有している場合には、これに接する取引者、需要者は当該商品等の形状を表示したものであると認識するに止まり、このような商品の機能又は美感に関わる形状は、多少特異なものであっても、未だ、商品等の形状を普通に用いられる方法で表示するものの域を出ないと解するのが相当である。
　また、商品等の形状は、同種の商品等にあっては、その機能を果たすためには原則的に同様の形状にならざるを得ないものであるから、取引上何人もこれを使用する必要があり、かつ、何人もその使用を欲するものであって、一私人に独占を認めるのは妥当でないというべきである。
　そうとすれば、商品等の機能又は美感とは関係のない特異な形状である場合はともかくとして、商品等の形状と認識されるものからなる立体的形状をもって構成される商標については、使用をされた結果、当該形状に係る商標が単に出所を表示するのみならず、取引者、需要者間において当該形状をもって同種の商品等と明らかに識別されていると認識することができるに至っている場合を除き、商品等の形状を普通に用いられる方法で表示する標章のみからなる商標として商標法第３条第１項第３号に該当し、商標登録を受けることができないものと解すべきである。
（２）これを本願についてみれば、本願商標は、別掲のとおり、美感等の向上のためにデザインされた金具そのものの形状の一形態を表したものとみるべきであって、これを本願指定商品中「貴金属製のかばん金具，同靴飾り」について使用しても、取引者、需要者は、単に商品の形状の一形態を表示したものと認識するにすぎないものと判断するのが相当である。
　請求人は、本願商標を貴金属製の靴飾りについても使用しており、請求人の独自の創作に係るデザイン性の高い立体商標であるから、単に商品の形状を普通に用いられる方法で表示するものではない旨主張する。
　しかしながら、商品「かばん金具、靴飾り」は、かばん類、靴の部品として使用されるものであるところ、かばん類、靴等の商品はいわゆるファッション関連商品といわれ、デザイン、外観の美しさが需要者の購買、選択意欲に重要な影響を与える商品であるところ、商品のデザイン、形状は、その時々の流行、需要者の趣味、嗜好によって異なり、そして、変化してゆくものであるから、商品の一部を構成する部品の金具、飾り等についても、商品との調和、それ自体又は商品全体の美感の向上等のために、多種多様のデザイン、形状が一般に採択され、使用されているとみられる。
　そうとすれば、本願商標を構成する特徴は、商品の美感等を効果的に際立たせるための範囲内のものというべきである。
　したがって、本願商標が請求人独自の創作に係るものであるとしても、それのみをもって、自他商品の識別標識としての機能を有しているとはいえないものである。
（３）請求人は、本願商標は１９９７年に、日本を含む世界各国において発表したもので、「ガンチーニ」の愛称を持つ著名商標であり、これを「履物、ベルト、衣服、かばん、袋物を含む革製小物」に使用しており、その結果、本願商標は、請求人の商品の出所を示す表示として日本においても著名となっている。したがって、本願商標は、その出願時点においては既に需要者の間で広く知られ、需要者が出願人の業務に係る商品であることを認識することができるに至っている（商標法第３条第２項に該当する）旨主張し、原審において参考資料１ないし３（商品写真等一部の資料が甲号証と同一と認められる。）を、当審において甲第１号証ないし同第３８号証を、それぞれ提出している。
（ａ）そこで以下、本願商標が商標法第３条第２項に該当するか否か検討する。
イ）ところで、商品等の形状に係る立体商標が、商標法第３条第２項に該当するものとして登録を認められるのは、原則として使用に係る商標が出願に係る商標と同一の場合であって、かつ、使用に係る商品と出願に係る指定商品も同一のものに限られると解されるところである。
　しかして、商標は商品あるいはその包装等に自他商品の識別標識として使用されるものであるから、出願に係る商標が商品を構成する部品等、商品の一部の立体的形状のみからなる場合であっても、その使用に係る商品自体には、自他商品の識別標識として、該立体的形状以外の文字、図形等の平面標章が使用されているのが一般的であるといい得る。
　したがって、出願に係る商標が商品の一部の立体的形状のみからなるものであるのに対し、実使用に係る商標が該立体的形状と文字、図形等の平面標章の場合には、両商標の構成は同一でないことから、出願に係る商標については、原則として使用により識別力を有するに至った商標と認めることができない。
　ただし、上記立体的形状よりなる商標と平面標章よりなる商標とが使用されている商品全体を観察した場合、使用に係る商品の一部を構成する立体的形状と出願に係る商標とが同一であり、その立体的形状が識別標識として機能するには、商品等に付された平面標章部分が不可欠であるとする理由が認められず、むしろ平面標章部分よりも立体的形状に施された変更、装飾等をもって需要者に強い印象、記憶を与えるものと認められ、かつ、需要者が何人かの業務に係る商品等であることを認識することができるに至っていることの客観的な証拠(例えば、同業組合又は同業者等、第三者機関による証明)の提出があったときは、直ちに商標の構成要素が同一ではないことを理由として商標法第３条第２項の主張を退けるのではなく、提出された証拠から、使用に係る商標の立体的形状部分のみが独立して、自他商品を識別するための出所表示としての機能を有するに至っていると認められるか否かについて判断する必要があるというべきである。
ロ）そこで、まず、本願商標と使用に係る商標との同一性についてみるに、請求人提出の参考資料１（「THE　FERRAGAMO　SPRING　SUMMER　WOMENS　SHOE＆HANDBAG　CATALOG98」８頁及び９頁） 、甲第１号証、甲第４号証及び同第５号証、甲第７号証、甲第１１号証及び甲第１３号証（商品写真、雑誌掲載記事）によれば、商品「かばん類」について、本願商標と同一と認め得る酷似の形状の金具が採用されていることが認められるが、該金具の中央部分には、「Ｆｅｒｒａｇａｍｏ」の筆記体文字よりなる商標が使用されているところである（参考資料１，甲第１号証、甲第５号証及び同第１３号証）。
　また、参考資料１（「THE　FERRAGAMO　SPRING　SUMMER　WOMENS　SHOE＆HANDBAG　CATALOG98」８頁及び９頁）、甲第１号証、甲第９号証及び同第２８号証（商品写真、雑誌掲載記事）によれば、商品「靴」について、本願商標と同一と認め得る酷似の形状の飾り（金具）が採用されていることが認められるが、該金具の中央部分には、「Ｆｅｒｒａｇａｍｏ」の筆記体文字よりなる商標が使用されていること（参考資料１、甲第１号証及び同２８号証）、そして、該商品の中底部分には、幾何図形とともに「ＳＡＬＶＡＴＯＲＥ」の文字が小さく、「ＦＥＲＲＡＧＡＭＯ」の文字が大きく表された商標が使用されていることが認められる（参考資料１）。
　そうとすれば、請求人が上記商品に使用している商標は、本願商標と同一と認め得る金具のみではないから、本願商標と実使用に係る商標とは同一とは認められないものである。
　加えて、上記商品「かばん類，靴」は、「Ｆｅｒｒａｇａｍｏ」、「ＳＡＬＶＡＴＯＲＥ　ＦＥＲＲＡＧＡＭＯ」、「ＦＥＲＲＡＧＡＭＯ」の文字部分が自他商品の識別標識と認識され、これをもって取引に資されているとみるのが相当である。　
　また、請求人提出の全資料及び全証拠によっても、上記商品以外の商品については、商品「靴」等（甲第３５号証の本願商標の指定商品以外の「カチューシャ」に使用されている飾りも含めて）について、本願商標を横長に変形した形状の飾り（金具）が使用されていること、また、商品「コットンセーター（被服）」には、いわゆるワンポイントマークが付されていることが認められる（甲第３８号証）にしても、本願商標と同一と認め得る金具が使用されている事実は見当たらない。　
ハ）次に、本願商標と同一と認め得る金具が使用されている商品「靴，かばん類」について、該金具部分のみが独立して自他商品の識別機能を有するに至っているか否か判断するに、上記ロ）で述べた如く、商品「靴，かばん類」には、本願商標と同一と認め得る形状の金具等に、請求人の略称として著名な「Ｆｅｒｒａｇａｍｏ」の文字が表示されており、該文字が、上記商品の出所表示と認められること及び、特に、商品「靴」については、「ＦＥＲＲＡＧＡＭＯ」の文字が、出所表示として看者の目を惹くとみられること、また、本願商標の形状のみによって、直ちに請求人の製造、販売に係る商品であると認識され、自他商品の識別標識としての機能を有するに至っていると推認し得るに十分な記載がみられないこと、そして、その他、請求人の提出した全参考資料及び全甲号証を総合してみても、本願商標と同一と認め得る形状の金具等のみによって、需要者に強い印象、記憶を与え、かつ、需要者が何人かの業務に係る商品等であることを認識することができるに至っているとするには十分とはいえないものである。 
　請求人は、甲第２７号証ないし同第３８号証を挙げ、本願商標は「ガンチーニ」という愛称によっても、需要者に本願商標の立体的形状を想起させるに至っているものである旨主張する。
  そこで、上記甲号証をみるに、商品「靴」について、本願商標とは異なる形状の金具、飾りの説明として、「（右から）上品なベージュに合わせた色の金具はガンチーニ。・・・エナメルのローファーは共のエナメルのガンチーニがお洒落。・・・」（甲第２８号証）、「・・・ゴールドのガンチーニ・・・」「・・・金具は、ガンチーニを四角くアレンジしたデザインです。」（甲第３０号証）、「シンボルマークのガンチーニやヴァラも装いを新たにシャープに変身しました。」（甲第３４号証）等の記載がみられる。そして、他の資料には「“ヴァラ“や“ガンチーニ“といった定番の金具にも・・・」（参考資料３）、「おなじみの“ガンチーニ”をあしらった・・・」（参考資料３）、「イタリア語で“留め具“をあらわす、ガンチーニは、まさにフェラガモのシンボルといえるゴールドのオーナメント」（参考資料３）との記載等がみられることより、本願商標と異なる形状をはじめ、本願商標の形状をも含んだ金具等が「ガンチーニ」と総称され、該金具等を使用した商品が、特に女性の間で相当程度認知されているであろうことは推認可能ではある。
　しかしながら、「ガンチーニ」と称されている金具等の形状は、上記甲第３０号証及び同第３４号証の記載に徴しても明らかなように、そのデザインについて変更されていくとみられるものであること、また、本願商標とは異なる形状の金具等についてガンチーニと称されていると認められること（甲第２８号証）から、「ガンチーニ」が本願商標の形状のみに特定されるものでなく、本願商標を横長に変更した形状や本願商標とは異なる形状をも指称しているといわざるを得ないものである。
　してみれば、「ガンチーニ」の愛称から、需要者が本願商標の形状のみを直ちに想起するものとはいいがたく、請求人の主張は採用し難い。
ニ）そして、請求人は、上記１のとおり、指定商品について何ら補正をしていないところである。
ホ）したがって、本願商標は、商標法第３条第２項に該当するものであるということができない。
（ｂ）請求人は、請求人の長年の努力により、多大な業務上の信用が蓄積した本願商標について、識別力がないとして商標登録が認められないときには、本願商標の模倣者を徒に増やし、市場の混乱を生み出す要因を生み出すものである旨主張する。
　しかしながら、商標の識別性については、他人の模倣による市場の混乱の危険性があるからといって、必ず認められなければならないというような性格のものではなく、また、請求人は、上記のとおり、本願商標が使用により識別性を有していると認めるに足るような十分な立証及び指定商品の補正等の手続をしていない以上、識別力を有するに至っていると認定、判断できないから、その主張は採用し得ないものである。
　　
４　結　論
　以上のとおり、本願商標は、商標法第３条第１項第３号に該当し、同法第３条第２項には該当しないとした原査定の認定、判断は妥当なものであって取り消すべき理由はない。
　よって、結論のとおり審決する。